(57)【特許請求の範囲】
【請求項１】
利用者装置に接続して用いられる可搬型記録媒体の管理システムであって、
情報処理装置を含んで構成され、
前記情報処理装置は、
利用者装置に可搬型記録媒体が接続されている際、当該可搬型記録媒体に記憶されている当該可搬型記録媒体の識別情報、及び当該可搬型記録媒体に記憶されている全てのファイルを特定する情報である全ファイル情報を取得する手段と、
取得した前記全ファイル情報を前記識別情報に対応づけて記憶する全ファイル情報記憶手段とを有すること
を特徴とする可搬型記録媒体の管理システム。
【請求項２】
請求項１に記載の可搬型記録媒体の管理システムであって、
１つ以上の前記識別情報を記憶する識別情報記憶手段と、前記可搬型記録媒体から取得した前記識別情報と、前記識別情報記憶手段が記憶している前記識別情報とを照合する照合手段とをさらに有し、
前記全ファイル情報記憶手段は、前記照合に成功した場合にのみ、取得した前記全ファイル情報を前記識別情報に対応づけて記憶すること
を特徴とする可搬型記録媒体の管理システム。
【請求項３】
請求項１に記載の可搬型記録媒体の管理システムであって、
前記識別情報を１つ以上記憶する識別情報記憶手段と、前記可搬型記録媒体から取得した前記識別情報と、前記識別情報記憶手段が記憶している前記識別情報とを照合する照合手段と、をさらに有し、
前記照合手段による前記照合が成功した場合にのみ、前記可搬型記録媒体への書き込みを許可した状態で前記可搬型記録媒体の利用環境を提供する利用環境提供手段を有すること
を特徴とする可搬型記録媒体の管理システム。
【請求項４】
請求項３に記載の可搬型記録媒体の管理システムであって、
前記利用環境提供手段は、前記照合手段による前記照合が失敗した場合に、前記可搬型記録媒体への書き込みを不許可にした状態で前記可搬型記録媒体の利用環境を提供すること
を特徴とする可搬型記録媒体の管理システム。
【請求項５】
請求項１に記載の可搬型記録媒体の管理システムであって、
利用者装置に可搬型記録媒体が接続されている際、前記可搬型記録媒体に対する読み出し又は書き込みの履歴である履歴情報を取得する履歴取得手段と、取得した前記履歴情報を前記識別情報に対応づけて記憶する履歴情報記憶手段とをさらに有すること
を特徴とする可搬型記録媒体の管理システム。
【請求項６】
利用者装置に接続して用いられる可搬型記録媒体の管理方法であって、
情報処理装置が、
利用者装置に可搬型記録媒体が接続されている際、当該可搬型記録媒体に記憶されている可搬型記録媒体の識別情報、及び当該可搬型記録媒体に記憶されている全てのファイルを特定する情報である全ファイル情報を取得するステップと、
取得した前記情報を前記識別情報に対応づけて記憶するステップと
を含むこと
を特徴とする可搬型記録媒体の管理方法。
【請求項７】
利用者装置に可搬型記録媒体が接続されている際、当該可搬型記録媒体に記憶されている当該可搬型記録媒体の識別情報、及び当該可搬型記録媒体に記憶されている全てのファイルを特定する情報である全ファイル情報を取得する機能と、
取得した前記全ファイル情報を前記識別情報に対応づけて記憶する機能と
を情報処理装置に実現させるためのプログラム。
【発明の詳細な説明】
【技術分野】
【０００１】
本発明は、可搬型記録媒体の管理システム、可搬型記録媒体の管理方法、及びプログラムに関し、とくに紛失・盗難等した可搬型記録媒体の内容を正確に把握できるようにする技術に関する。
【背景技術】
【０００２】
昨今、企業等の組織においてＵＳＢメモリ等の可搬型記録媒体の利用が進んでいる。  
しかしながら可搬型記録媒体はデータを手軽に持ち運ぶことができるという利便性を有する反面、紛失・盗難時等におけるデータの安全性が問題となる。このため、暗号化機能等のアクセス制限機能を設けるなどの対策が講じられている。
【特許文献１】特開２００６−１９５６２９号公報
【発明の開示】
【発明が解決しようとする課題】
【０００３】
ところで、可搬型記録媒体を紛失・盗難等した場合には、記録内容を迅速かつ正確に把握する必要がある。とくに顧客情報や個人情報等が記憶されていた場合には、記録されていた情報を迅速かつ正確に把握し、場合によっては当事者や所定の機関に事実や状況を報告又は周知する必要もある。
【０００４】
しかしながら、記憶容量の増大により可搬型記録内容に記憶されるデータの量は膨大化しつつあり、また業務等で頻繁に使用されている可搬型記録媒体については記憶されているファイルの数や内容が流動的に変化するため、可搬型記録媒体を紛失・盗難等した際にその内容を迅速かつ正確に把握することは従来必ずしも容易ではなかった。
【０００５】
本発明は、このような事情に鑑みてなされたもので、紛失・盗難等した可搬型記録媒体の内容を把握できるようにする可搬型記録媒体の管理システム、可搬型記録媒体の管理方法、及びプログラムを提供することを目的とする。
【課題を解決するための手段】
【０００６】
上記目的を達成するための請求項１に記載の発明は、利用者装置に接続して用いられる可搬型記録媒体の管理システムであって、情報処理装置を含んで構成され、前記情報処理装置は、利用者装置に可搬型記録媒体が接続されている際、当該可搬型記録媒体に記憶されている当該可搬型記録媒体の識別情報、及び当該可搬型記録媒体に記憶されている全てのファイルを特定する情報である全ファイル情報を取得する手段と、取得した前記全ファイル情報を前記識別情報に対応づけて記憶する全ファイル情報記憶手段とを有することとする。
【０００７】
本発明のうち請求項２に記載の発明は、請求項１に記載の可搬型記録媒体の管理システムであって、前記識別情報を１つ以上記憶する識別情報記憶手段と、前記可搬型記録媒体から取得した前記識別情報と、前記識別情報記憶手段が記憶している前記識別情報とを照合する照合手段と、を有し、前記全ファイル情報記憶手段は、前記照合に成功した場合にのみ、取得した前記全ファイル情報を前記識別情報に対応づけて記憶することとする。
【０００８】
本発明のうち請求項３に記載の発明は、請求項１に記載の可搬型記録媒体の管理システムであって、前記識別情報を１つ以上記憶する識別情報記憶手段と、前記可搬型記録媒体から取得した前記識別情報と、前記識別情報記憶手段が記憶している前記識別情報とを照合する照合手段と、を有し、前記照合手段による前記照合が成功した場合にのみ、前記可搬型記録媒体への書き込みを許可した状態で前記可搬型記録媒体の利用環境を提供する利用環境提供手段を有することとする。
【０００９】
本発明のうち請求項４に記載の発明は、請求項３に記載の可搬型記録媒体の管理システムであって、前記利用環境提供手段は、前記照合手段による前記照合が失敗した場合に、前記可搬型記録媒体への書き込みを不許可にした状態で前記可搬型記録媒体の利用環境を提供することとする。
【００１０】
本発明のうち請求項５に記載の発明は、請求項１に記載の可搬型記録媒体の管理システムであって、利用者装置に可搬型記録媒体が接続されている際、前記可搬型記録媒体に対する読み出し又は書き込みの履歴である履歴情報を取得する履歴取得手段と、取得した前記履歴情報を前記識別情報に対応づけて記憶する履歴情報記憶手段とを有することとする。
【００１１】
本発明のうち請求項６に記載の発明は、利用者装置に接続して用いられる可搬型記録媒体の管理方法であって、情報処理装置が、利用者装置に可搬型記録媒体が接続されている際、当該可搬型記録媒体に記憶されている可搬型記録媒体の識別情報、及び当該可搬型記録媒体に記憶されている全てのファイルを特定する情報である全ファイル情報を取得するステップと、取得した前記情報を前記識別情報に対応づけて記憶するステップとを含むこととする。
【００１２】
本発明のうち請求項７に記載の発明は、プログラムであって、利用者装置に可搬型記録媒体が接続されている際、当該可搬型記録媒体に記憶されている当該可搬型記録媒体の識別情報、及び当該可搬型記録媒体に記憶されている全てのファイルを特定する情報である全ファイル情報を取得する機能と、取得した前記全ファイル情報を前記識別情報に対応づけて記憶する機能とを情報処理装置に実現させるものである。
【発明の効果】
【００１３】
本発明によれば、紛失・盗難等した可搬型記録媒体の内容を正確に把握することができる。
【発明を実施するための最良の形態】
【００１４】
以下、本発明の実施形態につき詳細に説明する。図１は本発明の一実施形態として説明する、可搬型記録媒体の管理システム（以下、管理システム１と略記する。）の概略的なシステム構成図である。同図に示す如く、管理システム１は、利用者によって操作され、ＵＳＢメモリ２０が接続される複数台の利用者装置１０と、ＬＡＮ（Local Area Network）等で構成される通信ネットワーク５を介して各利用者装置１０に通信可能に接続する管理装置３０とを含んで構成されている。
【００１５】
管理システム１は、会社等の組織において運用され、組織に所属する利用者が利用する可搬型記録媒体（リムーバブルメディア）の管理を行う。管理システム１の管理対象となる可搬型記録媒体として、ＵＳＢメモリ（USB：Universal Serial Bus）等の半導体記憶素子を用いた不揮発性の記録媒体、ＵＳＢ等の通信手段によりコンピュータに接続可能なハードディスク、データの書き換えが可能なＣＤ（Compact Disk）、データの書き換えが可能なＤＶＤ（Digital Versatile Disk）、その他データの書き換えが可能な磁気的／光学的な記録媒体がある。以下の説明では、可搬型記録媒体はＵＳＢメモリ２０であるものとする。
【００１６】
図２にＵＳＢメモリ２０のハードウエア構成を示している。同図に示すように、ＵＳＢメモリ２０は、制御装置２１、通信装置２２、及び不揮発性メモリ２３を備えている。制御装置２１は、ＣＰＵ（Central Processing Unit）又はＭＰＵ（Micro Processing Unit）等を用いて構成される。
【００１７】
制御装置２１は、不揮発性メモリ２３へのデータの書き込み及び不揮発性メモリ２３からのデータの読み出しを行う。また制御装置２１は、不揮発性メモリ２３への書き込みに際してデータの暗号化を行い、読み出しに際してデータの復号化を行う。通信装置２２は、ＵＳＢメモリ２０の接続先の情報処理装置との間でデータ通信を行う。不揮発性メモリ２３は、フラッシュメモリ等を用いて構成される。
【００１８】
利用者装置１０及び管理装置３０は、例えばパーソナルコンピュータやオフィスコンピュータ等のコンピュータ（情報処理装置）である。図３Ａに利用者装置１０及び管理装置３０のハードウエア構成の一例を示している。同図に示す情報処理装置１００は、ＣＰＵ１０１、ＲＡＭ・ＲＯＭ等のメモリ１０２、ハードディスク等の大容量の記憶装置１０３、キーボードやマウス等の入力装置１０４、液晶ディスプレイやブラウン管ディスプレイ等の表示装置１０５、ＵＳＢメモリ２０と通信するためのＵＳＢ通信インタフェース等で構成される第１通信装置１０６、通信ネットワーク５に接続するためのＮＩＣ（Network Interface Card）等の第２通信装置１０７を備えている。
【００１９】
上記ハードウエア構成の下、情報処理装置１００では、オペレーティングシステム、デバイスドライバ、アプリケーションソフトウエア等の各種のソフトウエアが動作している。情報処理装置１００では、情報処理装置１００で動作するデバイスドライバ等のソフトウエアによって、ＵＳＢメモリ２０が接続されているか否かを判断する監視機能が動作している。
【００２０】
図３Ｂに利用者装置１０にインストールされている主なプログラムを示している。同図に示すように、利用者装置１０には、ＵＳＢメモリ２０の登録に関する処理を行うプログラムである登録プログラム１１、ＵＳＢメモリ２０の利用に関する処理を行うプログラムである利用プログラム１２、ＵＳＢメモリ２０の利用履歴の取得に関する処理を行うプログラムである履歴取得プログラム１３等がインストールされている。
【００２１】
図３Ｃに管理装置３０で管理されている主なデータを示している。同図に示すように、管理装置３０には、後述する機器管理情報３１、及び後述する全ファイル情報３２及びファイル利用履歴３３等が管理されている。なお、全ファイル情報３２及びファイル利用履歴３３は、機器管理情報３１に対応づけてデータベースに登録されて管理されている。
【００２２】
以上のように構成される管理システム１の利用に際し、ＵＳＢメモリ２０を管理システム１の管理対象とするには、ＵＳＢメモリ２０を管理システム１に事前登録する。なお登録は新規購入等により新たに導入した未使用のＵＳＢメモリ２０のみならず、既に使用中のものも行うことができる。
【００２３】
以下、上記登録に際して行われる処理について、図４に示すフローチャートとともに説明する。登録を行うＵＳＢメモリ２０を利用者装置１０に接続する（Ｓ４１１）。次に利用者装置１０において登録プログラム１１を起動する（Ｓ４１２）。登録プログラム１１は手動で起動してもよいし未登録のＵＳＢメモリ２０が接続されたのに応じて自動起動するようにしてもよい。
【００２４】
次にＵＳＢメモリ２０に記憶されている情報、及び利用者装置１０に保持されている情報に基づき登録プログラム１１が管理対象のＵＳＢメモリ２０ごとに固有の情報（以下、機器管理情報と称する。）を生成する（Ｓ４１３）。なお機器管理情報は、例えばＵＳＢメモリ２０が利用される組織においてＵＳＢメモリ２０ごとに付与される識別情報である機器管理番号、ＵＳＢメモリ２０の製造番号等のＵＳＢメモリ２０の製品に対して付与されているハードウエア識別情報、ＵＳＢメモリ２０の管理者や利用者を特定する情報、当該ＵＳＢメモリ２０が利用される利用者装置１０を特定する情報（ホスト名、ネットワークアドレス等）、登録日時等に基づいて生成される。
【００２５】
次に登録プログラム１１は生成した機器管理情報をＵＳＢメモリ２０に記憶（Ｓ４１４）するとともに、管理装置３０に送信する。管理装置３０は機器管理情報を受信するとこれを記憶する（Ｓ４１６，Ｓ４１７）。
【００２６】
ＵＳＢメモリ２０の登録処理は以上のように行われる。続いてＵＳＢメモリ２０を利用者装置１０に接続して利用する際に行われる処理につき、図５に示すフローチャートとともに説明する。なおこの処理は登録処理に引き続き自動実行されるようにしてもよい。
【００２７】
ＵＳＢメモリ２０が利用者装置１０に接続されると（Ｓ５１１）、利用者装置１０で利用プログラム１２が起動する（Ｓ５１２）。なお利用プログラム１２は手動で起動してもよいし、ＵＳＢメモリ２０が接続されたのに応じて自動起動するようにしてもよい。
【００２８】
起動した利用プログラム１２は、まずＵＳＢメモリ２０に機器管理情報が記憶されているか否かを調べる（Ｓ５１３）。記憶されている場合には（Ｓ５１３：有り）Ｓ５１４に進み、記憶されていない場合には（Ｓ５１３：無し）Ｓ５２２に進む。
【００２９】
次に利用プログラム１２は、ＵＳＢメモリ２０に記憶されている機器管理情報を読み出して（Ｓ５１４）、読み出した機器管理情報を管理装置３０に送信する（Ｓ５１５）。
【００３０】
管理装置３０は、利用者装置１０から送信されてくる機器管理情報を受信すると（Ｓ５１６）、受信した機器管理情報を前述した登録処理によって記憶した全ての機器管理情報３１と照合し（Ｓ５１７）、照合の結果を利用者装置１０に送信する（Ｓ５１８）。利用プログラム１２は、送信されてくる照合結果を受信する（Ｓ５１９）。なお以上に説明した機器管理情報の送信（Ｓ５１５）から照合結果の受信（Ｓ５１９）までの一連の処理は通信ネットワーク５を介してリアルタイムに行われる。
【００３１】
次に利用プログラム１２は、受信した照合結果に基づいて機器管理情報が管理装置３０に登録されているか否かを判断する。機器管理情報が登録されている場合には（Ｓ５２０：有り）Ｓ５２１に進み、登録されていない場合には（Ｓ５２０：無し）Ｓ５２２に進む。
【００３２】
Ｓ５２１では、利用プログラム１２は、利用者装置１０からＵＳＢメモリ２０へのデータの書き込み（更新を含む）を「許可」した状態で、ＧＵＩ（Graphical User Interface）等によるＵＳＢメモリ２０からのデータの読み出しやＵＳＢメモリ２０への書き込み（更新を含む）を行うためのＵＳＢメモリ２０の利用環境の提供を開始する。一方、Ｓ５２２では、利用プログラム１２は、利用者装置１０からＵＳＢメモリ２０へのデータの書き込み（更新を含む）を「不許可」にした状態で、ＧＵＩによるＵＳＢメモリ２０からのデータの読み出し等、ＵＳＢメモリ２０の利用環境の提供を開始する。
【００３３】
ＵＳＢメモリ２０を利用者装置１０に接続して利用する際は以上の処理が行われる。このように、機器管理情報が管理システム１に登録されている場合には（Ｓ５２０：有り）、利用者は書き込みが許可された状態でＵＳＢメモリ２０を利用することができる。また機器管理情報がそもそもＵＳＢメモリ２０に存在しない場合（Ｓ５１３：無し）や、機器管理情報が存在しても管理システム１に登録されていない場合には（Ｓ５２０：無し）、利用者は書き込み不許可の状態で、すなわち、読み出しのみ可能な状態でＵＳＢメモリ２０を利用することができる。このため、利用者装置１０に例えば管理システム１に登録されていないＵＳＢメモリ２０が接続された場合には、ＵＳＢメモリ２０に記憶されているデータを利用者装置１０で参照することはできるが、ＵＳＢメモリ２０に書き込むことはできず、従って組織内の情報が何ら痕跡を残さずに組織外に持ち出されてしまうのを防ぐことができる。
【００３４】
次に図５に説明したＵＳＢメモリ２０の利用に際して行われる、管理システム１がＵＳＢメモリ２０の利用履歴を収集する処理について、図６に示すフローチャートとともに説明する。
【００３５】
ＵＳＢメモリ２０が利用者装置１０に接続されると（Ｓ６１１）、利用者装置１０において履歴取得プログラム１３が起動する（Ｓ６１２）。起動した履歴取得プログラム１３は、図５の処理の結果に基づき、ＵＳＢメモリ２０に機器管理情報が存在し、かつ、登録済みか否かを調べる（Ｓ６１３）。機器管理情報が登録されていた場合には（Ｓ６１３：有り）Ｓ６１４に進み、機器管理情報が登録されていない場合には（機器管理情報がＵＳＢメモリ２０に記憶されていない場合も含む）（Ｓ６１３：無し）Ｓ６１６に進む。
【００３６】
次に履歴取得プログラム１３は、ＵＳＢメモリ２０に記憶されている機器管理情報を読み出し、読み出した機器管理情報を利用者装置１０に記憶する（Ｓ６１４）。また履歴取得プログラム１３は、ＵＳＢメモリ２０に記憶されている全ファイル情報を取得して利用者装置１０に記憶する（Ｓ６１５）。
【００３７】
ここで全ファイル情報とは、ＵＳＢメモリ２０に記憶されているファイルに関する情報であり、利用者装置１０から参照可能な全てのファイルに関する情報である。全ファイル情報には、例えばＵＳＢメモリ２０において管理されているファイル管理情報の内容（ファイル名、ディレクトリ名（フォルダ名）、ファイル属性（アクセス権（読み出し許可、書き込み許可、実行許可等））、ファイルサイズ、物理的又は論理的な格納位置情報、更新日時等）のうちの少なくともいずれかが含まれる。なお全ファイル情報は、ＵＳＢメモリ２０が書き込みを許可にした状態で利用者装置１０に利用されている間、流動的に変化する。すなわち、ＵＳＢメモリ２０に書き込みが行われて全ファイル情報が更新された場合には、利用者装置１０に記憶している全ファイル情報の内容を最新の内容にリアルタイムに更新する。履歴取得プログラム１３は、このような全ファイル情報の取得及び更新処理をバックグラウンドで実行する。
【００３８】
Ｓ６１６では、履歴取得プログラム１３がファイル利用履歴の取得処理を開始する。ここでファイル利用履歴とは、利用者装置１０からＵＳＢメモリ２０に対するアクセスの履歴（アクセス内容、アクセス日時等）であり、例えば利用者装置１０へのＵＳＢメモリ２０に記憶されているデータの読み出しの履歴、利用者装置１０からＵＳＢメモリ２０へのデータの書き込み（更新を含む）の履歴等である。履歴取得プログラム１３は、このファイル利用履歴の取得及び更新処理をフォアグラウンドで実行する。
【００３９】
履歴取得プログラム１３は、ＵＳＢメモリ２０が利用者装置１０に接続されているか否か（ＵＳＢメモリ２０が取り外されているか否か）を監視する（Ｓ６１７）。ＵＳＢメモリ２０は、例えば利用者がオペレーティングシステムに対して取り外し指示を行うかまたは物理的に取り外されることにより利用者装置１０から切断される。ＵＳＢメモリ２０が取り外された場合には（Ｓ６１７：接続無し）、Ｓ６１８に進む。ＵＳＢメモリ２０が接続中である場合（Ｓ６１７：接続中）、履歴取得プログラム１３はＳ６１７の監視処理を続ける。
【００４０】
次に履歴取得プログラム１３は、利用者装置１０に記憶してある機器管理情報、全ファイル情報、及びファイル利用履歴を、通信ネットワーク５を介して管理装置３０に送信する（Ｓ６１８）。但し全ファイル情報については、Ｓ６１３で「有り」の場合、すなわち機器管理情報が登録済みの場合のみ管理装置３０に送信される。
【００４１】
管理装置３０は、送信されてくる機器管理情報、全ファイル情報、及びファイル利用履歴を受信する。そして管理装置３０は、受信した機器管理情報、全ファイル情報、及びファイル利用履歴を利用者装置１０から適宜検索、参照、又は取得可能な状態で機器管理情報等を検索キーとしてデータベースに記憶する（Ｓ６２０）。
【００４２】
以上に説明したように、本実施形態の管理システム１によれば、ＵＳＢメモリ２０が利用者装置に接続されている間、ＵＳＢメモリ２０に記憶されている機器管理情報とともに、ＵＳＢメモリ２０の全ファイル情報、及びファイル利用履歴が、管理システム１に自動的に収集されてデータベースに管理される。このため、例えばＵＳＢメモリ２０の紛失・盗難時等において、機器管理情報等を検索キーとしてデータベースの内容を参照すれば、ＵＳＢメモリ２０に記憶されている最新の状態（全ファイル情報）や利用状況（ファイル利用履歴）を迅速かつ正確に把握することができる。
【００４３】
以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００４４】
【図１】本発明の一実施形態として説明する可搬型記録媒体の管理システム１の概略的なシステム構成図である。
【図２】本発明の一実施形態として説明するＵＳＢメモリ２０のハードウエア構成である。
【図３Ａ】本発明の一実施形態として説明する利用者装置１０及び管理装置３０のハードウエア構成である。
【図３Ｂ】本発明の一実施形態として説明する利用者装置１０にインストールされている主なプログラムを示す図である。
【図３Ｃ】本発明の一実施形態として説明する管理装置３０で管理されている主なデータを示す図である。
【図４】本発明の一実施形態として説明する、ＵＳＢメモリ２を管理システム１に登録する際に行われる処理を説明するフローチャートである。
【図５】本発明の一実施形態として説明する、ＵＳＢメモリ２０を利用者装置１０に接続して利用を開始する際に行われる処理を説明するフローチャートである。
【図６】本発明の一実施形態として説明する、管理システム１がＵＳＢメモリ２０の利用履歴を収集する処理を説明するフローチャートである。
【符号の説明】
【００４５】
１０  利用者装置
１１  登録プログラム
１２  利用プログラム
１３  履歴取得プログラム
２０  ＵＳＢメモリ
２１  制御装置
２２  通信装置
２３  不揮発性メモリ
３０  管理装置
３１  機器管理情報
３２  全ファイル情報
３３  ファイル利用履歴
１００  情報処理装置
１０１  ＣＰＵ
１０２  メモリ
１０３  記憶装置
１０４  入力装置
１０５  表示装置
１０６  第１通信装置
１０７  第２通信装置
【図１】
0004869183.tif 000002
【図２】
0004869183.tif 000003
【図３Ａ】
0004869183.tif 000004
【図３Ｂ】
0004869183.tif 000005
【図３Ｃ】
0004869183.tif 000006
【図４】
0004869183.tif 000007
【図５】
0004869183.tif 000008
【図６】
0004869183.tif 000009